【事件の表示】
　特願２００４−１１６７０９「集中記憶装置」拒絶査定不服審判事件〔平成１６年１０月　７日出願公開、特開２００４−２８２７７１〕について、次のとおり審決する。
【結　論】
　本件審判の請求は、成り立たない。
【理　由】
１．手続の経緯
　本願は、平成４年５月１日に出願した特願平４−１３７５１８号の一部を平成１３年５月２１日に新たな特許出願（特願２００１−１５１６７３号）とし、該特許出願の一部を平成１６年４月１２日に新たな特許出願としたものであって、平成１８年１月１６日付で拒絶査定がされ、これに対し、同年２月１７日に拒絶査定不服審判が請求されるとともに、同年２月２２日付で手続補正がなされたものである。
　
２．本願発明
　本願の請求項１ないし２に係る発明は、平成１８年２月２２日付の手続補正書により補正された明細書及び図面の記載からみて、その特許請求の範囲の請求項１ないし２に記載されたとおりのものと認められるところ、その請求項１に記載された発明（以下、「本願発明」という。）は次のとおりである。
　
　「指示された複写処理に関する条件に基づき原稿を読み込み複写処理を行うディジタル複写装置とネットワークを介して接続される集中記憶装置であって、前記集中記憶装置は、前記ディジタル複写装置において複写処理の際に記憶された原稿イメージデータと、この原稿イメージデータと共に送信されるこの複写処理を行った時の複写処理に関する情報とを、前記ディジタル複写装置から受信し、前記原稿イメージデータと前記複写処理に関する情報とを関連させて記憶することを特徴とする集中記憶装置。」
　
３．引用例
　原査定の拒絶の理由に引用された、特開昭６３−３１２７７５号公報（以下、「引用例」という。）には、次の事項が図面と共に記載されている。
　
（ａ）「この発明は、複写装置に関する。」（１頁左下欄１４行）
（ｂ）「ＣＰＵ１は、操作パネル２からキーによる指示に従って光ディスクコントローラ（ＯＤＣ）３，イメージデータ圧縮部（ＩＰＵ）４，イメージメモリ５，スキャナインタフェイス６，プリンタインタフェイス７等を制御する。」（２頁右下欄６〜１０行）
（ｃ）「イメージメモリ５は、イメージスキャナ９で読み取った原稿をスキャナインタフェイス６を介してこのメモリに展開する。そしてイメージデータ圧縮部（ＩＰＵ）４で圧縮して光ディスク装置（ＯＤＵ）１１に格納する。」（３頁左上欄１〜５行）
（ｄ）「プリンタインタフェイス７は、イメージメモリ５のドキュメントデータをプリントアウトし、或いはイメージスキャナ９から読み取った画像データをプリントアウトする。通信制御部（ＣＣＵ）８は、通信回線を通して外部装置にドキュメントデータを転送する。」（３頁左上欄９〜１４行）
（ｅ）「プリンタ１０は、プリンタインタフェイス７或いはイメージスキャナ９からドキュメントデータを受取りこれをプリントアウトする。」（３頁左上欄１９行〜右上欄１行）
（ｆ）「ドキュメント管理ファイルは、ドキュメント管理部と、ファイル管理部に分かれ、ドキュメント管理部は、ドキュメント番号エリア、先頭ブロック番号エリア、削除フラグエリアの３エリアにより、１ドキュメント単位を構成している。」（３頁左下欄１６行〜右下欄１行）
（ｇ）「ドキュメント番号入力の案内メッセージに従って、テンキーによりドキュメント番号を入力する。（途中省略）そしてドキュメント管理ファイルから指定のドキュメントを探し、ドキュメントファイルより読み出してページメモリ５に再生してプリントアウトする。」（４頁左下欄３〜１２行）
（ｈ）「このように通常のコピー時に、コピーと同時に原稿のイメージデータを光ディスク等の外部記憶装置に格納することによって、格納した同一ドキュメントに関しては、原稿を必要とせず何時でも簡単なキー操作で外部記憶装置から読み出して、プリントアウト或いは通信手段を用いて他の外部装置に転送する事が出来る。」（４頁右下欄１６行〜５頁左上欄２行）
　
４．対比
（ａ）複写装置において、複写処理を行う際、例えば出力部数や拡大・縮小率など、複写処理に関する何らかの条件を指示することは一般的に行われていることであり、引用例に記載された発明（以下、「引用発明」という。）においても、一般的な複写処理が行われていると認められることから、指示された複写処理に関する条件に基づき原稿を読み込み複写処理を行うといえる。
（ｂ）引用発明においては、イメージスキャナで読み取った原稿をスキャナインタフェイスを介してイメージメモリに展開し、該イメージメモリのドキュメントデータをプリンタインタフェイスを介してプリンタよりプリントアウトしており、また前記イメージメモリ、スキャナインタフェイス、及びプリンタインタフェイスはＣＰＵにより制御されており、したがって引用発明の「複写装置」は、「ディジタル複写装置」といえる。
（ｃ）引用発明の複写装置では、イメージスキャナで読み取った原稿のイメージデータをイメージメモリに展開し、該イメージデータを光ディスク装置に格納しており、前記イメージメモリに展開されたイメージデータは、「ディジタル複写装置において複写処理の際に記憶された原稿イメージデータ」といえる。
（ｄ）引用発明の複写装置では、通常のコピー時に、コピーと同時に原稿のイメージデータを光ディスク等の外部記憶装置に格納しており、前記外部記憶装置は、「記憶装置」といえる。
　
　したがって、本願発明と引用発明を対比すると、両者は、
　「指示された複写処理に関する条件に基づき原稿を読み込み複写処理を行うディジタル複写装置と接続される記憶装置であって、前記記憶装置は、前記ディジタル複写装置において複写処理の際に記憶された原稿イメージデータを、前記ディジタル複写装置から受信し、前記原稿イメージデータを記憶することを特徴とする記憶装置。」である点で一致し、以下の点で相違する。
　
［相違点１］
　本願発明が「集中記憶装置」であるのに対し、引用例には、単なる外部記憶装置が記載されている点。
　
［相違点２］
　本願発明が、ディジタル複写装置と集中記憶装置とをネットワークを介して接続しているのに対し、引用発明は、複写装置と外部記憶装置とをネットワークを介することなく接続している点。
　
［相違点３］
　本願発明の「集中記憶装置」が、「原稿イメージデータと共に送信されるこの複写処理を行った時の複写処理に関する情報」を、「ディジタル複写装置から受信し」、「前記原稿イメージデータと前記複写処理に関する情報とを関連させて記憶」しているのに対し、引用例には、前記「複写処理に関する情報」の受信及び記憶に係る構成が記載されていない点。
　
５．判断
　上記相違点について検討する。
　
［相違点１について］
　引用発明は、１つの外部記憶装置に集中的にイメージデータを記憶しており、この点において、本願発明の「集中記憶装置」と実質的な相違はない。
　
［相違点２について］
　複写装置を、ネットワークを含む通信網に接続し、画像データの送信を行うことは慣用手段であり、例えば特開昭６２−１６３４４８号公報等に記載されている。
　また、ネットワークシステムにおいて、イメージを含むドキュメントデータを、ネットワークを介して記憶装置に転送し記憶することは、当業者にとって周知の技術であり、例えば、特開昭６２−１９６９７０号公報、特開平２−１５５３４１号公報等に記載されている。
　引用発明は、外部記憶装置から読み出されたイメージデータを、通信手段を用いて外部装置に転送するものであるから、引用発明に上記周知技術を適用して、複写装置で読み取られた原稿のイメージデータを、ネットワークに接続された記憶装置に転送し記憶することは、当業者が容易に想到し得たものと認められる。
　
［相違点３について］
　イメージを含むドキュメントデータを作成し記憶装置に記憶する際、ドキュメントデータの作成日等、ドキュメントデータの作成に関する情報（以下「作成情報」という。）を、該ドキュメントデータの検索情報として記憶することは、当業者にとって周知の技術である。例えば、特開昭６２−１９６９７０号公報、特開昭６１−９０７４号公報等に記載されている。
　ここで、前記作成情報が、前記ドキュメントデータの検索に用いられる以上、検索対象のドキュメントデータと該ドキュメントデータの作成情報とが関連づけられて記憶されることは明らかである。
　さらに、引用発明においても、ドキュメント番号を入力することによりドキュメント管理ファイルから指定のドキュメントを探し、ドキュメントファイルより読み出してプリントアウトしており、複写処理で得られたイメージデータを検索するための情報が記憶装置に記憶されている。
　すると、引用発明において、イメージデータを検索するために、上記周知技術を適用して、複写装置で読み取られた原稿のイメージデータと共に、該イメージデータの作成情報、すなわち複写処理に関する情報を、記憶装置が受信すること、及び前記原稿のイメージデータを、前記複写処理に関する情報と関連づけて記憶装置に記憶することは、当業者が容易に想到し得たものと認められる。
　
　そして、本願発明の奏する作用効果も、引用発明及び周知技術の奏する作用効果から当業者が予測できるものであって、格別のものとは認められない。
　
６．むすび
　以上のとおり、本願発明は、引用発明に基づいて、当業者が容易に発明をすることができたものであるから、特許法第２９条第２項の規定により特許を受けることができない。
　したがって、本願は、他の請求項に係る発明について検討するまでもなく、拒絶されるべきものである。
　よって、結論のとおり審決する。